(57)【要約】【課題】コンピューターシステムリモコンの信号フィルタリングシステムを提供する。【解決手段】本システムは、リモコン１３０、フィルタリング制御イネーブルユニット１１０、キーボードエンコーダー１００を備える。フィルタリング制御イネーブルユニット１１０は、フィルタリングピン１１１を設定する。キーボードエンコーダー１００は、リモコン１３０から送られる機能信号を受信して、選択的に、機能信号をコンピューターシステムに転送する。【選択図】    図１
2004164546.tif 000002
【特許請求の範囲】
【請求項１】
コンピューターシステムリモコンの信号フィルタリングシステムであって、
機能信号を伝送するリモコンと、
フィルタリングピンを設定するフィルタリング制御イネーブルユニットと、
前記リモコンから送られる前記機能信号を受信し、前記フィルタリングピンの設定に従って、前記機能信号を選択的にコンピューターシステムに転送するキーボードエンコーダーと、
からなることを特徴とするシステム。
【請求項２】
前記フィルタリング制御イネーブルユニットは、前記フィルタリングピンを第一値に設定することを特徴とする請求項１に記載のシステム。
【請求項３】
前記フィルタリングピンが前記第一値である時、前記キーボードエンコーダーは前記機能信号をフィルタにかけ、前記機能信号が許可される場合、前記機能信号を前記コンピューターシステムに転送することを特徴とする請求項２に記載のシステム。
【請求項４】
前記フィルタリング制御イネーブルユニットは、前記コンピューターシステム上のマニュアルボタンであることを特徴とする請求項１に記載のシステム。
【請求項５】
前記フィルタリング制御イネーブルユニットは、前記コンピューターシステム上のソフトであることを特徴とする請求項１に記載のシステム。
【請求項６】
前記ソフトは、前記コンピューターシステムのモードを検出して、前記コンピューターシステムのモードに従って、前記フィルタリングピンを設定することを特徴とする請求項５に記載のシステム。
【請求項７】
コンピューターシステムリモコンの信号フィルタリング方法であって、
キーボードエンコーダーにより、リモコンからの機能信号を受信する工程と、フィルタリングピンの設定に従って、前記機能信号をコンピューターシステムに選択的に転送する工程と、
からなることを特徴とする方法。
【請求項８】
フィルタリング制御イネーブルユニットにより、前記フィルタリングピンを設定する工程を更に含むことを特徴とする請求項７に記載の方法。
【請求項９】
前記フィルタリング制御イネーブルユニットは、前記フィルタリングピンを第一値に設定する工程を更に含むことを特徴とする請求項８に記載の方法。
【請求項１０】
前記フィルタリングピンが前記第一値である時、前記キーボードエンコーダーは前記機能信号が許可されるかを判定し、許可される場合、前記機能信号を前記コンピューターシステムに転送することを特徴とする請求項９に記載の方法。
【請求項１１】
前記フィルタリング制御イネーブルユニットは、前記コンピューターシステム上のマニュアルボタンであることを特徴とする請求項８に記載の方法。
【請求項１２】
前記フィルタリング制御イネーブルユニットは、前記コンピューターシステム上のソフトであることを特徴とする請求項８に記載の方法。
【請求項１３】
前記ソフトは、前記コンピューターシステムのモードを検出し、前記フィルタリングピンを設定することを特徴とする請求項１２に記載の方法。
【発明の詳細な説明】
【０００１】
【発明の属する技術分野】
本発明は、リモコンの信号フィルタリングシステム（ｓｉｇｎａｌ  ｆｉｌｔｅｒｉｎｇ    ｓｙｓｔｅｍ）及び方法に関するもので、特に、キーボードエンコーダー（Ｋｅｙｂｏａｒｄ  Ｅｎｃｏｄｅｒ）とフィルタリングピン（Ｆｉｌｔｅｒｉｎｇ    Ｐｉｎ）により、リモコンの信号をフィルタにかける、コンピューターシステムに用いられるシステム及び方法に関するものである。
【０００２】
【従来の技術】
多くのコンピューターシステムは、実用的な電気製品或いは機能、例えば、ＣＤ／ＰＭ３とＶＣＤ／ＤＶＤプレーヤー、ＴＶ機能等を一体化することが出来る。ユーザーは、リモコンにより、特定の電気製品や機能を選択、操作することが出来る。コンピューターシステムは２つのモードがあり、ＡＶモードとＰＣモードがある。コンピューターシステムは、通常ＰＣモードで動作し、ＡＶモードではＶＣＤ／ＤＶＤ／ＴＶプレーヤーとして動作する。
【０００３】
コンピューターシステムがＰＣモードの時、作業システムＯＳは、それぞれのアプリケーションに対し、対応するキーの機能を定義する。リモコンのコントロールキーの機能が、コンピューターシステムに定義された対応するキーの機能とオーバーラップする場合、リモコン上のコントロールキーが不注意で押された時、コンピューターシステムの操作は影響を受け、データが失われる可能性がある。
【０００４】
この出願の発明に関連する先行技術文献情報としては次のものがある。
【０００５】
【特許文献１】
米国特許第６２２９４３２号明細書
【特許文献２】
米国特許第５２９８９８２号明細書
【０００６】
【発明が解決しようとする課題】
本発明は、キーボードエンコーダーとフィルタリングピンの使用により、リモコン信号にフィルタをかける、コンピューターシステムリモコンの信号フィルタリングシステム及びその方法を提供することを目的とする。
【０００７】
【課題を解決するための手段】
上述の目的を達成するため、本発明はコンピューターシステムリモコンの信号フィルタリングシステム及び方法を提供する。
【０００８】
本発明の一実施形態によると、本システムは、リモコン、フィルタリング制御イネーブルユニット、キーボードエンコーダーを備える。フィルタリング制御イネーブルユニットは、フィルタリングピンを設定する。キーボードエンコーダーは、リモコンから送られる機能信号を受信して、フィルタリングピンの設定に従って、機能信号をコンピューターシステムに選択的に転送する。
【０００９】
本発明の他の実施形態によると、コンピューターシステムリモコンの信号フィルタリング方法は、先ず、リモコンから伝送される機能信号を、キーボードエンコーダーにより受信する。その後、フィルタリングピンの設定に従って、機能信号をコンピューターシステムに転送するか決定する。
【００１０】
具体例によると、フィルタリング制御イネーブルユニットは、フィルタリングピンを第一値に設定し、フィルタリングピンが第一値の時、機能信号が定義済み許可機能に符合しているかを判定し、機能信号が定義済み許可機能に符合している場合、機能信号をコンピューターシステムに伝送する。そうでなければ、機能信号を伝送しない。
【００１１】
更に、フィルタリング制御イネーブルユニットは、コンピューターシステムにアクセス可能なソフトウェア、或いはマニュアルボタンである。フィルタリングピンは、コンピューターシステムのモードを検出するソフトウェアにより設定され、或いはマニュアルボタンを選択することにより設定される。
【００１２】
【発明の実施の形態】
上述した本発明の目的、特徴、及び長所をいっそう明瞭にするため、以下に本発明の好ましい実施の形態を挙げ、図を参照にしながらさらに詳しく説明する。
【００１３】
図１は、本発明の一実施形態によるコンピューターシステムのシステム構造を示す図である。
本発明の実施形態によるシステムは、キーボードエンコーダー１００、フィルタリング制御イネーブルユニット１１０、コンピューターシステム１２０、リモコン１３０及びキーボード１４０からなる。
【００１４】
キーボードエンコーダー１００は、リモコン１３０及びキーボード１４０から伝送された信号（機能信号）を受信する。フィルタリング制御イネーブルユニット１１０は、コンピューターシステム１２０上のマニュアルボタンで、ユーザーはこのマニュアルボタンを押すことにより、フィルタリングピン１１１を第一値に設定し、フィルタリング機能をコンピューター上で有効にする。更に、フィルタリング制御イネーブルユニット１１０は、ソフトでもよく、自動的に、コンピューターシステム１２０のモードを検出する。コンピューターシステム１２０がＰＣモード下の場合、ソフトはフィルタリングピン１１１を第一値に設定し、そうでなければ、第二値に設定する。
【００１５】
注意すべきことは、本実施形態において、フィルタリング制御イネーブルユニット１１０は、フィルタリングピン１１１を高値（Ｈレベル）である第一値に設定し、リモコン１３０からの信号のフィルタリングを可能にする。フィルタリングピン１１１が、低値（Ｌレベル）である第二値である時、リモコンの信号のフィルタリングを無効にする。
【００１６】
キーボードエンコーダー１００は許可機能テーブル１０１を備え、リモコンの信号フィルタリング機能が作動する時、コンピューターシステム１２０に伝送できる、リモコン１３０からの機能信号を記録するのに用いられる。例を挙げると、コンピューターシステム１２０に伝送できる機能信号は、モードスイッチボタンに対応し、例えば、ＣＤ、ＶＣＤ等に切り換える。コンピューターシステム１２０に伝送できない機能信号は、数字キー、ミュートキー、早送りキーに対応する機能信号である。
【００１７】
キーボードエンコーダー１００は、リモコン１３０とキーボード１４０から送られる機能信号を受信し、フィルタリングピン１１１に従って、機能信号をコンピューターシステム１２０に伝送する。フィルタリングピン１１１が第二値（低値）である時、リモコン１３０とキーボード１４０から送られる機能信号は全て、コンピューターシステム１２０に伝送される。フィルタリングピン１１１が第一値（高値）である時、キーボード１４０から送られる機能信号は全て、コンピューターシステム１２０に伝送され、一方、許可機能テーブル１０１中に記録される機能信号だけが、コンピューターシステム１２０に伝送される。
【００１８】
図２は、本発明の実施形態によるコンピューターシステムリモコンの信号フィルタリング方法の操作を示すフローチャートである。
本発明の実施形態によるコンピューターシステムに用いるリモコン信号フィルタリング方法は、先ず、工程Ｓ２０１において、キーボードエンコーダー１００により、リモコン１３０から伝送される機能信号を受信する。次に、工程Ｓ２０２において、フィルタリングピン１１１の状態を検査する。
【００１９】
フィルタリングピン１１１の状態が、第二値である時（工程Ｓ２０３でＮＯ）、工程Ｓ２０６において、受信した機能信号をコンピューターシステム１２０に伝送する。フィルタリングピン１１１の状態が第一値である時（工程Ｓ２０３でＹＥＳ）、工程Ｓ２０４において、キーボードエンコーダー１００は、入ってくる機能信号が許可機能テーブル１０１中に記録されているか判断する。
【００２０】
許可機能テーブル１０１中に記録されている場合（工程Ｓ２０５でＹＥＳ）、工程Ｓ２０６において、機能信号をコンピューターシステム１２０に伝送する。工程Ｓ２０５でＮＯの場合、工程Ｓ２０７において、機能信号はコンピューターシステム１２０に伝送されない。
【００２１】
注意すべきことは、許可機能テーブル１０１中に記録されている機能信号は、システム管理者或いはユーザーにより予め定義され、機能信号は、異なるアプリケーションにより変更することが出来る。この他、フィルタリングピン１１１は、コンピューターシステム１２０上のマニュアルボタンにより設定することが出来、或いは、コンピューターシステム１２０がＰＣモードの場合、ソフトにより、コンピューターシステム１２０のモードを検出し、フィルタリング機能を有効にすることが出来る。
【００２２】
これにより、本発明による、コンピューターシステムリモコンの信号フィルタリングシステム及び方法により、リモコン信号の障害が回避される。
本発明では好ましい実施形態を前述の通り開示したが、本発明は決して実施形態に限定するものではない。当業者には明らかなように、本発明の精神と領域を脱しない範囲内で各種の変更ができ、従って本発明の保護範囲は、特許請求の範囲で指定した内容を基準とする。
【００２３】
【発明の効果】リモコン信号の障害が回避される。
【図面の簡単な説明】
【図１】本発明の一実施形態による、信号フィルタリングシステム構造を示す図である。
【図２】本発明の一実施形態よる、信号フィルタリング方法の操作を示すフローチャートである。
【符号の説明】
１００…キーボードエンコーダー
１０１…許可機能テーブル
１１０…フィルタリング制御イネーブルユニット
１２０…コンピューターシステム
１３０…リモコン
１４０…キーボード
【図１】
2004164546.tif 000003
【図２】
2004164546.tif 000004